(57)【特許請求の範囲】
【請求項１】
同軸上に配置された外側管と内側管とを有し、当該外側管の内周面と当該内側管の外周面との間にエキシマ発光用ガスが封入された放電空間が形成された、誘電体材料よりなる放電容器を具えており、当該外側管の外周面に外側電極が設けられると共に当該内側管の内周面に内側電極が設けられたエキシマランプと、当該エキシマランプが内部に挿通状態で配置された、当該エキシマランプのランプ中心軸に沿って延びる外套管とを具えており、
当該エキシマランプの外側管の外周面と当該外套管の内周面との間に形成された第１の空間および当該エキシマランプの内側管の内部に形成された第２の空間のうちの一方の空間が冷却媒体である冷却水が流通される冷却媒体流通空間とされると共に他方の空間が当該エキシマランプからの紫外線が照射されることによりオゾンが生成されるオゾン生成用原料ガスが流通されるオゾン生成空間とされており、
前記エキシマランプにおける当該冷却媒体流通空間内に位置される一方の電極が、接地されていることを特徴とする紫外線照射式オゾン生成装置。
【請求項２】
前記第１の空間がオゾン生成空間とされると共に、前記第２の空間が冷却媒体流通空間とされており、
前記外套管の内周面および外周面の一方における少なくとも一部に、前記エキシマランプから放出される紫外線を反射する外套管反射部材が設けられていることを特徴とする請求項１に記載の紫外線照射式オゾン生成装置。
【請求項３】
前記エキシマランプにおける内側管の外周面の少なくとも一部に、当該エキシマランプから放出される紫外線を反射する内側管反射部材が設けられていることを特徴とする請求項１または請求項２に記載の紫外線照射式オゾン生成装置。
【請求項４】
前記第１の空間が冷却媒体流通空間とされると共に、前記第２の空間がオゾン生成空間とされており、
前記エキシマランプにおける外側管の内周面の少なくとも一部に、当該エキシマランプから放出される紫外線を反射する反射部材が設けられていることを特徴とする請求項１に記載の紫外線照射式オゾン生成装置。
【請求項５】
前記外套管を冷却する冷却手段を具えていることを特徴とする請求項１乃至請求項３のいずれか一項に記載の紫外線照射式オゾン生成装置。
【請求項６】
前記オゾン生成空間内には、当該オゾン生成空間に供給されるオゾン生成用原料ガスの流れを、当該オゾン生成用原料ガスが当該オゾン生成空間内において混合されるよう、撹拌する撹拌部材が設けられていることを特徴とする請求項１乃至請求項５のいずれか一項に記載の紫外線照射式オゾン生成装置。
【請求項７】
前記エキシマランプを構成する放電容器における軸方向の少なくとも一方の端部には、内側管と外側管とが気密に接合された接合部が形成されており、当該接合部に向かう紫外線を遮光する紫外線遮光部材が当該放電空間の内部に設けられていることを特徴とする請求項１乃至請求項６のいずれか一項に記載の紫外線照射式オゾン生成装置。
【請求項８】
前記紫外線遮光部材は、放電空間を画成する壁の内面における前記接合部を含む領域に設けられた、放電空間内で発生した不純ガスを吸着する金属材料による金属膜により構成されており、ゲッターとしても機能することを特徴とする請求項７に記載の紫外線照射式オゾン生成装置。
【発明の詳細な説明】
【技術分野】
【０００１】
本発明は、紫外線照射式オゾン生成装置に関する。
【背景技術】
【０００２】
強い酸化力を有するオゾンは、例えば殺菌、脱臭、脱色、有機物除去、有害物質除去、化学物質合成などを目的として様々な分野で使用されている。
オゾンを工業的に生成する方法の一として、例えば紫外線ランプを用いた光化学反応方式が知られている。光化学反応方式は、酸素を含有する原料ガスに紫外線を照射し、酸素が紫外線を吸収して発生するオゾン生成反応を用いてオゾンを生成するものである。このような光化学反応方式においては、原料ガスとして窒素、酸素を含有するガスを用いても、例えば無声放電方式のように窒素酸化物が生成されることがなく、また放電は放電空間でのみ発生するので発生オゾンに電極起因の粉塵が混入しないという利点がある。
【０００３】
光化学反応方式においては、一般に、紫外線ランプとして低圧水銀ランプが用いられている。しかしながら、低圧水銀ランプから放出される光の輝線は、オゾン生成波長（１８５ｎｍ）とオゾン分解波長（２５４ｎｍ）であるので、低圧水銀ランプを原料ガスへの紫外線照射光源として使用すると、オゾンの生成と分解の反応が並列して発生し、さらに分解反応で生じた酸素原子（Ｏ）がオゾンと反応してオゾンが減少するので、あまり高濃度なオゾン発生は期待できない。
【０００４】
このような問題に対して、近年では、例えば特許文献１に記載されているように、紫外線光源としてオゾン分解波長を含まない光を放出するエキシマランプを使用した技術が提案されている。
特許文献１に記載されているオゾン発生装置は、管状のエキシマランプを包囲するように、二重管構造のオゾン導通管を配置し、エキシマランプの電極とオゾン導通管内に供給される原料ガスとを隔離する構成とされることが記載されている。また、エキシマランプとして１ＭＨｚ〜２０ＭＨｚの高周波発光型のものを用い、オゾン導通管の外周に紫外線反射部材を施す構成とされること、および、エキシマランプを空冷することが記載されている。
【先行技術文献】
【特許文献】
【０００５】
【特許文献１】特開２００３−１６５７１１号公報
【発明の概要】
【発明が解決しようとする課題】
【０００６】
しかしながら、上記構成のオゾン発生装置においては、冷却水などの冷媒によってエキシマランプを冷却することは想定されておらず、例えばｋＨｚオーダーの周波数で発光するエキシマランプは使用することができない。
また、エキシマランプの電極とオゾン導通管内に供給される原料ガスとが隔離されてエキシマランプの外表面とオゾン導通管のエキシマランプと対向する表面との間に空間が設けられているため、オゾン生成に寄与する紫外線の損失が発生する。すなわち、エキシマランプから放出される紫外線が当該空間内の空気中の酸素によって吸収されるため、オゾン導通管内部に到達し、オゾン導通管内部でオゾン生成に寄与する紫外線の強度が減少してしまう。従って、オゾンを高い効率（高濃度）で生成することができない、という問題がある。
【０００７】
本発明は、以上のような事情に基づいてなされたものであって、オゾンを高い効率で生成することができ、しかも、漏電等の不具合が生ずることを回避することのできる紫外線照射式オゾン生成装置を提供することを目的とする。
【課題を解決するための手段】
【０００８】
本発明の紫外線照射式オゾン生成装置は、同軸上に配置された外側管と内側管とを有し、当該外側管の内周面と当該内側管の外周面との間にエキシマ発光用ガスが封入された放電空間が形成された、誘電体材料よりなる放電容器を具えており、当該外側管の外周面に外側電極が設けられると共に当該内側管の内周面に内側電極が設けられたエキシマランプと、当該エキシマランプが内部に挿通状態で配置された、当該エキシマランプのランプ中心軸に沿って延びる外套管とを具えており、
当該エキシマランプの外側管の外周面と当該外套管の内周面との間に形成された第１の空間および当該エキシマランプの内側管の内部に形成された第２の空間のうちの一方の空間が冷却媒体である冷却水が流通される冷却媒体流通空間とされると共に他方の空間が当該エキシマランプからの紫外線が照射されることによりオゾンが生成されるオゾン生成用原料ガスが流通されるオゾン生成空間とされており、
前記エキシマランプにおける当該冷却媒体流通空間内に位置される一方の電極が、接地されていることを特徴とする。
【０００９】
本発明の紫外線照射式オゾン生成装置においては、前記第１の空間がオゾン生成空間とされると共に、前記第２の空間が冷却媒体流通空間とされており、
前記外套管の内周面および外周面の一方における少なくとも一部に、前記エキシマランプから放出される紫外線を反射する外套管反射部材が設けられた構成とされていることが好ましい。
【００１０】
このような構成のものにおいては、前記エキシマランプにおける内側管の外周面の少なくとも一部に、当該エキシマランプから放出される紫外線を反射する内側管反射部材が設けられた構成とされていることが好ましい。
また、前記外套管を冷却する冷却手段を具えた構成とされていることが好ましい。
【００１１】
さらにまた、本発明の紫外線照射式オゾン生成装置においては、前記第１の空間が冷却媒体流通空間とされると共に、前記第２の空間がオゾン生成空間とされており、
前記エキシマランプにおける外側管の内周面の少なくとも一部に、当該エキシマランプから放出される紫外線を反射する反射部材が設けられた構成とされていることが好ましい。
【００１２】
さらにまた、本発明の紫外線照射式オゾン生成装置においては、前記オゾン生成空間内には、当該オゾン生成空間に供給されるオゾン生成用原料ガスの流れを、当該オゾン生成用原料ガスが当該オゾン生成空間内において混合されるよう、撹拌する撹拌部材が設けられた構成とされていることが好ましい。
【００１３】
さらにまた、本発明の紫外線照射式オゾン生成装置においては、前記エキシマランプを構成する放電容器における軸方向の少なくとも一方の端部には、内側管と外側管とが気密に接合された接合部が形成されており、当該接合部に向かう紫外線を遮光する紫外線遮光部材が当該放電空間の内部に設けられた構成とされていることが好ましい。
【００１４】
このような構成のものにおいては、前記紫外線遮光部材は、放電空間を画成する壁の内面における前記接合部を含む領域に設けられた、放電空間内で発生した不純ガスを吸着する金属材料による金属膜により構成されており、ゲッターとしても機能するものとすることができる。
【発明の効果】
【００１５】
本発明の紫外線照射式オゾン生成装置によれば、冷却媒体としての例えば冷却水が冷却媒体流通空間内を流通されてエキシマランプが冷却されることにより、例えばｋＨｚオーダーの周波数の高周波交流電圧を印加することができてエキシマランプの発光効率を上昇させることができると共にオゾン生成空間で生成されたオゾンの熱分解が生ずることを抑制することができるので、オゾンを高い効率で生成することができる。しかも、冷却媒体流通空間内に位置される電極が接地されていることにより、冷却媒体としての冷却水を介して接地側の不所望な場所に漏電することを防止することができる。
【図面の簡単な説明】
【００１６】
【図１】本発明の第１実施形態に係る紫外線照射式オゾン生成装置の一構成例を概略的に示す、ランプ中心軸に沿った断面図である。
【図２】図１におけるＡ−Ａ線断面図である。
【図３】図１に示す紫外線照射式オゾン生成装置の一部を示す部分拡大図である。
【図４】本発明の第２実施形態に係る紫外線照射式オゾン生成装置の一構成例を概略的に示す、ランプ中心軸に沿った断面図である。
【図５】図４におけるＡ−Ａ線断面図である。
【図６】図５に示す紫外線照射式オゾン生成装置の一部を示す部分拡大図である。
【図７】本発明の紫外線照射式オゾン生成装置のさらに他の例における構成を概略的に示す、ランプ中心軸に沿った断面図である。
【図８】本発明の紫外線照射式オゾン生成装置のさらに他の例における要部の構成を示す、ランプ中心軸に沿った断面図である。
【図９】実験例において構成したオゾン濃度測定系を概略的に示す説明図である。
【発明を実施するための形態】
【００１７】
以下、本発明の実施の形態について詳細に説明する。
＜第１実施形態＞
図１は、本発明の第１実施形態に係る紫外線照射式オゾン生成装置の一構成例を概略的に示す、ランプ中心軸に沿った断面図である。図２は、図１におけるＡ−Ａ線断面図である。図３は、図１に示す紫外線照射式オゾン生成装置の一部を示す部分拡大図である。
この紫外線照射式オゾン生成装置は、一方向に長尺な二重管構造のエキシマランプ２０と、このエキシマランプ２０が内部に挿通状態で配置された、エキシマランプ２０のランプ中心軸Ｌｃに沿って延びる円筒状の外套管３５とを具えている。
【００１８】
外套管３５は、例えばステンレス鋼よりなる円筒状の外部筐体１０の両端部の各々に固定されて設けられた一対の外套管ホルダー部材１１，１４によって、両端部が保持されて設けられている。各々の外套管ホルダー部材１１，１４は有底円筒状であって、外套管３５の両端部の各々が対応する外套管ホルダー部材１１，１４の開口部に嵌入され、これにより、外套管３５がその管軸が外部筐体１０の中心軸上に位置される姿勢で外套管ホルダー部材１１，１４によって保持されている。
外套管３５としては、例えば石英管などを用いることができる。
【００１９】
一方の外套管ホルダー部材１１における端壁には、各々一方の外套管ホルダー部材１１の内部空間に連通する２つの流体流通管１２，１３が、軸方向外方に突出して延びるよう設けられている。また、他方の外套管ホルダー部材１４における周壁には、他方の外套管ホルダー部材１４の内部空間に連通する流体流通管１５が外部筐体１０の外部に突出して径方向外方に延びるよう設けられている。
【００２０】
エキシマランプ２０は、互いに同軸上に配置された外側管２２および内側管２３を有する二重管構造の放電容器２１を具えている。内側管２３は、両端部が外側管２２の両端より軸方向外方に突出する状態で、外側管２２の内部に配置されている。そして、外側管２２の両端部が、内側管２３の外周面に気密に封着されており、これにより、外側管２２の内周面と内側管２３の外周面との間に放電用ガスが封入された放電空間Ｓ１が形成されている。外側管２２および内側管２３を構成する材料としては、例えば石英ガラス等の誘電体材料を用いることができる。
【００２１】
放電用ガスとしては、キセノンガス、アルゴンガス、クリプトンガスなどの希ガス、あるいは、希ガスと塩素などのハロゲンガスとの混合ガスなどを用いることができる。放電用ガスの封入圧は、例えば０．０１〜０．１ＭＰａとされる。
【００２２】
放電容器２１における外側管２２の外周面には、外側電極２５が外側管２２の外周面に密接して配置されている。外側電極２５は、例えば、アルミニウムよりなる導電性素線が外側管２２の外周面に螺旋状に巻回されて構成されている。外側電極２５は、放電空間Ｓ１で生じた紫外線を放電容器２１の外部に取り出すことのできる構成とされていればよく、例えば、導電性素線が網目状などの隙間を有するパターンに従って配設されてなる網状電極、導電性材料からなる膜が網目状などの隙間を有するパターンに従って形成されてなる光透過性電極、あるいは、エキシマランプ２０から放射される紫外線を透過する透明電極などにより構成されていてもよい。
【００２３】
放電容器２１における内側管２３の内周面には、内側電極２６が内側管２３の内周面に密接して配置されている。内側電極２６は、例えば、アルミニウムよりなる導電性素線が内側管２３の内周面に螺旋状に巻回されて構成されている。内側電極２６は、外側電極２５と同様に、網状電極、光透過性電極、透明電極などにより構成されていてもよいが、内側電極２６は、必ずしもエキシマランプ２０から放出される紫外線を透過する光透過性を有するものとして形成されたものや、隙間を有するパターンに従って形成されたものである必要はなく、不透光性の帯状電極であってもよい。
【００２４】
このエキシマランプ２０においては、放電空間Ｓ１を画成する内側管２３の壁に、径方向外方側に突出した突出部２４が形成されており、例えば放電空間Ｓ１の両端部にゲッター室Ｓ２が形成されている。ゲッター室Ｓ２には、例えば、酸素ガス、水素ガス、一酸化炭素ガス、水の分子ガスなどの不純ガスを吸着するゲッター部材３１が配置されている。これにより、当該不純ガスに起因する経時的な紫外線出力の低下を小さく抑制することができる。なお、ゲッター室Ｓ２は、放電空間Ｓ１のいずれか一方の端部のみに設けられた構成とされていてもよい。
【００２５】
ゲッター部材３１としては、多孔質あるいは粉体状の金属の酸化物、窒化物あるいは炭化物の中から選ばれた少なくとも１種のものを用いることができる。また、放電用ガスとしてハロゲンガスを使用しない場合は、ゲッター部材３１としてチタンやタンタル、アルミニウムとジルコニウムの合金、バリウム等を用いることができる。
【００２６】
また、放電空間Ｓ１の内部には、外側管２２と内側管２３とが気密に接合された接合部Ｔに向かう紫外線を遮光する紫外線遮光部材３０が設けられている。
紫外線遮光部材３０は、例えばアルミニウム等の金属からなる金属膜により構成されており、外側管２２と内側管２３との接合部Ｔを含む例えばゲッター室Ｓ２を区画する壁の内面に設けられている。このような構成とされていることにより、後述するように、エキシマランプ２０が冷却された状態で動作されたとしても、機械的強度が幾分劣る外側管２２と内側管２３との接合部Ｔにおいて、紫外線による歪みに起因してエキシマランプ２０が破損することを確実に抑制することができる。
【００２７】
なお、紫外線遮光部材３０は、外側管２２と内側管２３とを封着することにより放電空間Ｓ１を形成した後に、形成されることが好ましく、例えば、外側管２２と内側管２３とを封着した後に、放電空間Ｓ１の内部に配置した紫外線遮光部材材料（例えは、アルミニウム）を高周波加熱等で加熱することにより形成することができる。この理由は、予め、紫外線遮光部材（金属膜）３０が所定位置に形成された外側管２２および内側管２３を封着した場合には、接合部Ｔにおける紫外線遮光部材材料が外側管２２および内側管２３を構成する誘電体材料（石英ガラス）の内部に入り込み、紫外線遮光部材３０の紫外線遮光機能が劣化すると共に誘電体材料が変質してしまうためである。
【００２８】
このエキシマランプ２０における内側管２３の他端を閉塞する他端壁には、流体流通管４０が内側管２３の他端壁を気密に貫通してランプ中心軸Ｌｃに沿って延びるよう設けられている。流体流通管４０の一端（図１において右端）は、内側管２３の一端を閉塞する一端壁の近傍に位置されている。
【００２９】
このエキシマランプ２０は、放電容器２１における内側管２３の両端部が一対のランプホルダー部材１６，１７によって保持されている。具体的には、一方の外套管ホルダー部材１１には、各々径方向内方に延びる一対の柱状の保持部材１６ａ，１６ｂよりなる一方のランプホルダー部材１６が設けられている。一対の保持部材１６ａ，１６ｂは、一方の外套管ホルダー部材１１の開口端部の内周面における互いに対向する位置に設けられている。また、他方の外套管ホルダー部材１４には、その端壁を貫通して軸方向外方に突出して延びる円筒状の他方のランプホルダー部材１７が固定されて設けられている。そして、エキシマランプ２０は、ランプ中心軸Ｌｃが例えば外套管３５の管軸上に位置される姿勢で、内側管２３の一端部（図１において右端部）の外周面が一方のランプホルダー部材１６を構成する各々の保持部材１６ａ，１６ｂによって挟持されて保持されていると共に、内側管２３の他端部（図１において左端部）が他方のランプホルダー部材１７の内部に挿入されて保持されている。
他方のランプホルダー部材１７における周壁には、他方のランプホルダー部材１７の内部空間に連通する流体流通管１８が外部筐体１０の外部に突出して径方向外方に延びるよう設けられている。
【００３０】
上記の紫外線照射式オゾン生成装置においては、エキシマランプ２０の外側管２２の外周面と外套管３５の内周面との間に形成された第１の空間が、エキシマランプ２０からの紫外線が照射されることによりオゾンが生成されるオゾン生成用原料ガスＧが流通されるオゾン生成空間Ｒ１とされており、エキシマランプ２０の内側管２３の内部に形成された第２の空間が冷却媒体流通空間Ｒ２とされている。従って、一方の外套管ホルダー部材１１に設けられた流体流通管１２，１３の各々が、オゾン生成用原料ガスを流入させるための原料ガス流入管として機能し、他方の外套管ホルダー部材１４に設けられた流体流通管１５が、生成されたオゾンを含むガスを流出させるためのガス流出管として機能する。また、エキシマランプ２０における内側管２３の内部に配置された流体流通管４０が、エキシマランプ２０を冷却する冷却媒体を流入させるための冷却媒体流入管として機能し、他方のランプホルダー部材１７に設けられた流体流通管１８が、冷却媒体を流出させるための冷却媒体流出管として機能する。
【００３１】
オゾン発生用原料ガスとしては、例えば乾燥空気（以下、単に「空気」ともいう。）を用いることができる。
冷却媒体としては、例えば水、純水、フロン系冷媒、ハイドロカーボン冷媒等の絶縁性冷媒、空気（エア）などを用いることができる。
【００３２】
而して、この紫外線照射式オゾン生成装置においては、エキシマランプ２０における外側電極２５および内側電極２６は、例えば表面が絶縁性材料により被覆された配線部材（図１において二点鎖線で示す。）を介して電源装置（図示せず）に接続されている。オゾン生成空間Ｒ１内に位置される外側電極２５は、電源装置における高圧側端子ＨＶに接続されて高電圧給電電極として機能し、冷却媒体流通空間Ｒ２内に位置される内側電極２６は接地されて接地電極として機能する。
【００３３】
上記の紫外線照射式オゾン生成装置においては、外套管３５の内周面における少なくとも一部に、エキシマランプ２０から放出される紫外線を反射する外套管反射部材（以下、「第１の反射部材」という。）３６が設けられた構成とされていることが好ましい。この例においては、第１の反射部材３６は、外套管３５の内周面における、エキシマランプ２０からの紫外線が照射される領域に設けられている。
【００３４】
第１の反射部材３６は、例えば、シリカ粒子（ＳｉＯ2 ）、アルミナ粒子（Ａｌ2 Ｏ3 ）などの紫外線散乱粒子単体またはこれらが混合された混合体からなる拡散ミラーにより構成されている。シリカ粒子の平均粒子径は、例えば０．３μｍであり、アルミナ粒子の平均粒子径は、例えば３μｍである。
【００３５】
さらに、エキシマランプ２０における内側管２３の外周面における少なくとも一部に、エキシマランプ２０から放出される紫外線を反射する内側管反射部材（以下、「第２の反射部材」という。）３８が設けられていることが好ましい。この例においては、第２の反射部材３８は、内側管２３の放電空間Ｓ１を画成する壁の外周面の全体に設けられている。第２の反射部材３８は、第１の反射部材３６を構成するものと同様の拡散ミラーにより構成されている。
【００３６】
また、上記の紫外線照射式オゾン生成装置においては、外套管３５の内周面には、オゾン生成用原料ガスＧを撹拌しながら流通させる撹拌部材４５が設けられている。具体的には、撹拌部材４５は、螺旋状のコイル部材により構成されており、軸方向におけるコイル部材の隣接する素線間の位置に外側電極２５を構成する金属素線が位置されるよう、外套管３５の内周面に密接して設けられている。これにより、オゾン生成空間Ｒ１において屈曲したオゾン生成用原料ガスＧの流通路が形成されている。
エキシマランプ２０からの紫外線は、オゾン生成空間Ｒ１を流通されるオゾン生成用原料ガスＧに吸収されるため、紫外線の強度は、径方向外方（外套管３５側）に向かって進行するにつれて減衰する。すなわち、オゾン生成用原料ガスＧに照射される紫外線強度は、径方向に分布（バラツキ）が生じるため、外套管３５の内周面近傍位置を流通されるオゾン生成用原料ガスＧはオゾン生成にほとんど寄与しない。然るに、撹拌部材４５がオゾン生成空間Ｒ１内に設けられていることにより、オゾン生成用原料ガスＧが屈曲した流通路に沿って流通されてオゾン生成空間Ｒ１内で撹拌されることとなるので、オゾン生成用原料ガスＧを効率よくオゾン生成に寄与させることができる。
【００３７】
撹拌部材４５を構成する材料としては、オゾン生成空間Ｒ１で生成されるオゾンと反応しにくく、紫外線が照射されても分解されない材料、例えばステンレス鋼やチタンなどにより構成されている。
【００３８】
而して、上記の紫外線照射式オゾン生成装置においては、エキシマランプ２０における外側電極２５および内側電極２６の両電極間に高周波（例えばｋＨｚオーダー）高電圧が印加されると、放電空間Ｓ１内においていわゆる誘電体バリア放電が生じ、この誘電体バリア放電によって生成されるエキシマ分子から紫外線（図３において白抜きの矢印で示す。）が放出される。
一方、一方の外套管ホルダー部材１１に設けられた流体流通管（原料ガス流入管）１２，１３からオゾン生成空間Ｒ１に流入されたオゾン生成用原料ガスＧが、オゾン生成空間Ｒ１内を屈曲した流通路に沿って流通されると共に、内側管２３の内部に配置された流体流通管（冷却媒体流入管）４０から冷却媒体流通空間Ｒ２に流入された冷却媒体である例えば冷却水（図１および図３において、便宜上、斜線を付した矢印で示す。）Ｗが内側管２３の内周面および流体流通管４０の外周面に沿って流通されてエキシマランプ２０が冷却される。例えば、放電用ガスとしてキセノンガスが封入され、放電空間Ｓ１の軸方向の長さが１７０ｍｍであるエキシマランプ２０を、周波数が８０ｋＨｚ、電圧が４ｋＶp-pの高周波交流電圧を印加して点灯させた場合に、冷却水により冷却しない場合であれば、２００〜３００℃となる外側管２２の温度を、冷却水Ｗを流通させてエキシマランプ２０を冷却することにより１００℃程度の比較的低温に維持することができる。
【００３９】
エキシマ分子の発光により得られる紫外線は、外側管２２を介して直接的に、あるいは、内側管２３に設けられた第２の反射部材３８によってオゾン生成空間Ｒ１に向かって反射されて、オゾン生成空間Ｒ１内を流通されるオゾン生成用原料ガスＧに照射される。また、オゾン生成に寄与しなかった紫外線は外套管３５に設けられた第１の反射部材３６によって反射されて、再度、オゾン生成用原料ガスＧに照射される。これにより、オゾン生成用原料ガスＧである乾燥空気中の酸素が反応してオゾンが生成され、オゾンを含むガス（図１および図３において、便宜上、塗りつぶした矢印で示す。）が、他方の外套管ホルダー部材１４に設けられた流体流通管（ガス流出管）１５より装置外部に取り出される。
【００４０】
而して、上記構成の紫外線照射式オゾン生成装置によれば、基本的には、冷却媒体としての冷却水Ｗが内側管２３の内部に形成された冷却媒体流通空間Ｒ２内を流通されてエキシマランプ２０が冷却されることにより、例えばｋＨｚオーダーの周波数の高周波交流電圧を印加することができてエキシマランプ２０の発光効率を上昇させることができると共にオゾン生成空間Ｒ１で生成されたオゾンの熱分解が生ずることを抑制することができるので、オゾンを高い効率で生成することができる。しかも、冷却媒体流通空間Ｒ２内に位置される内側電極２６が接地されていることにより、冷却媒体としての冷却水Ｗを介して接地側の不所望な場所に漏電することが防止される。
【００４１】
また、外套管３５の内周面に設けられた第１の反射部材３６および内側管２３の外周面に設けられた第２の反射部材３８によって反射される紫外線をオゾンの生成に寄与させることができるので、紫外線の利用効率を向上させることができてオゾンの生成効率を一層向上させることができる。さらに、紫外線が低温状態の内側管２３に照射されることが第２の反射部材３８によって防止されるので、紫外線照射による歪みに起因したダメージを内側管２３が受けることを抑制することができる。
【００４２】
さらにまた、外套管３５が石英管等の絶縁性材料で構成されていると共に、外部電極２５に対する配線部材が絶縁性材料により表面が被覆されたものであることにより、感電等の事故が生ずることを回避することができる。
【００４３】
＜第２実施形態＞
図４は、本発明の第２実施形態に係る紫外線照射式オゾン生成装置の一構成例を概略的に示す、ランプ中心軸に沿った断面図である。図５は、図４におけるＡ−Ａ線断面図である。図６は、図５に示す紫外線照射式オゾン生成装置の一部を示す部分拡大図である。
この紫外線照射式オゾン生成装置は、上記第１実施形態に係る紫外線照射式オゾン生成装置において、エキシマランプ２０の外側管２２の外周面と外套管３５の内周面との間に形成された第１の空間が冷却媒体流通空間Ｒ２とされていると共に、エキシマランプ２０の内側管２３の内部に形成された第２の空間がオゾン生成空間Ｒ１とされている構成とされた他は、基本的な構成は、第１実施形態に係る紫外線照射式オゾン生成装置と同一である。図４乃至図６において、図１乃至図３に示す紫外線照射式オゾン生成装置と同一の構成部材には、同一の符号が付してあり、その説明を省略する。
【００４４】
この紫外線照射式オゾン生成装置においては、一方の外套管ホルダー部材１１に設けられた流体流通管１２，１３の各々が、エキシマランプ２０を冷却する冷却媒体である例えば冷却水Ｗを流入させるための冷却媒体流入管として機能し、他方の外套管ホルダー部材１４に設けられた流体流通管１５が、冷却媒体を流出させるための冷却媒体流出管として機能する。また、エキシマランプ２０における内側管２３の内部に配置された流体流通管４０が、オゾン生成用原料ガスＧを流入させるための原料ガス流入管として機能し、他方のランプホルダー部材１７に設けられた流体流通管１８が、生成されたオゾンを含むガスを流出させるためのガス流出管として機能する。
【００４５】
この例におけるエキシマランプ２０においては、エキシマランプ２０の内側管２３の内部に形成された第２の空間がオゾン生成空間Ｒ１とされていることから、外側電極２５は、必ずしもエキシマランプ２０から放出される紫外線を透過する光透過性を有するものとして形成されたものや、隙間を有するパターンに従って形成されたものである必要はなく、不透光性の帯状電極であってもよい。
また、外套管３５を構成する材料としては、例えばステンレス鋼などの導電性材料で構成されていてもよい。
【００４６】
而して、この紫外線照射式オゾン生成装置においては、エキシマランプ２０における外側電極２５および内側電極２６は、例えば表面が絶縁性材料により被覆された配線部材（図１において二点鎖線で示す。）を介して電源装置（図示せず）に接続されている。オゾン生成空間Ｒ１内に位置される内側電極２６は、電源装置における高圧側端子ＨＶに接続されて高電圧給電電極として機能し、冷却媒体流通空間Ｒ２内に位置される外側電極２５は接地されて接地電極として機能する。
【００４７】
また、上記の紫外線照射式オゾン生成装置においては、エキシマランプ２０における外側管２２の内周面における少なくとも一部に、エキシマランプ２０から放出される紫外線を反射する反射部材５０が設けられている。この例においては、反射部材５０は、外側管２２の内周面におけるエキシマランプ２０からの紫外線が照射される領域の全体に設けられている。
この反射部材５０は、第１実施形態に係る紫外線照射式オゾン生成装置における第１の反射部材３６および第２の反射部材３８を構成するものと同様の拡散ミラーにより構成されている。
【００４８】
さらにまた、上記の紫外線照射式オゾン生成装置においては、エキシマランプ２０における内側管２３の内部に配置された流体流通管（原料ガス流入管）４０の外周面には、オゾン生成用原料ガスＧを撹拌しながら流通させる撹拌部材４５が設けられている。具体的には、撹拌部材４５は、螺旋状のコイル部材により構成されており、軸方向におけるコイル部材の隣接する素線間の位置に内側電極２６を構成する金属素線が位置されるよう、流体流通管４０の外周面に密接して設けられている。これにより、オゾン生成空間Ｒ１において屈曲したオゾン生成用原料ガスＧの流通路が形成されている。
【００４９】
而して、上記の紫外線照射式オゾン生成装置においては、エキシマランプ２０における外側電極２５および内側電極２６の両電極間に高周波（例えばｋＨｚオーダー）高電圧が印加されると、放電空間Ｓ１内においていわゆる誘電体バリア放電が生じ、この誘電体バリア放電によって生成されるエキシマ分子から紫外線（図６において白抜きの矢印で示す。）が放出される。
一方、内側管２３の内部に配置された流体流通管（原料ガス流入管）４０から流入されたオゾン生成用原料ガスＧがオゾン生成空間Ｒ１内を屈曲した流通路に沿って流通されると共に、一方の外套管ホルダー部材１１に設けられた流体流通管（冷却媒体流入管）１２，１３から冷却媒体流通空間Ｒ２に流入された冷却水（図４および図６において、便宜上、斜線を付した矢印で示す。）Ｗが、外套管３５の内周面および外側管２２の外周面に沿って流通されてエキシマランプ２０が冷却される。
【００５０】
エキシマ分子の発光により得られる紫外線は、内側管２３を介して直接的に、あるいは、外側管２２に設けられた反射部材５０によってオゾン生成空間Ｒ１に向かって反射されて、オゾン生成空間Ｒ１内を流通されるオゾン生成用原料ガスＧに照射される。これにより、オゾン生成用原料ガスＧである乾燥空気中の酸素が反応してオゾンが生成され、オゾンを含むガス（図４および図６において、便宜上、塗りつぶした矢印で示す。）が、他方のランプホルダー部材１７に設けられた流体流通管（ガス流出管）１８より装置外部に取り出される。
【００５１】
而して、上記構成の紫外線照射式オゾン生成装置によれば、基本的には、第１の実施形態に係る紫外線照射式オゾン生成装置と同様の効果が得られる。すなわち、冷却媒体としての冷却水Ｗが外側管２２の外周面と外套管３５の内周面との間に形成された冷却媒体流通空間Ｒ２内を流通されてエキシマランプ２０が冷却されることにより、例えばｋＨｚオーダーの周波数の高周波交流電圧を印加することができてエキシマランプ２０の発光効率を上昇させることができると共にオゾン生成空間Ｒ１で生成されたオゾンの熱分解が生ずることを抑制することができるので、オゾンを高い効率で生成することができる。しかも、冷却媒体流通空間Ｒ２内に位置される外側電極２５が接地されていることにより、冷却媒体としての冷却水Ｗを介して接地側の不所望な場所に漏電することを防止することができる。
【００５２】
また、外側管２２の内周面に設けられた反射部材５０によって反射される紫外線をオゾンの生成に寄与させることができるので、紫外線の利用効率を向上させることができてオゾンの生成効率を一層向上させることができる。さらに、紫外線が低温状態の外側管２２に照射されることが反射部材５０によって防止されるので、紫外線照射による歪みに起因したダメージを外側管２２が受けることを抑制することができる。
【００５３】
以上、本発明の実施形態について説明したが、本発明は上記の実施形態に限定されるものではなく、種々の変更を加えることができる。
【００５４】
例えば、第１の実施形態に係る紫外線照射式オゾン生成装置においては、図７に示すように、外套管３５を冷却する冷却手段５５を具えた構成とすることができる。
冷却手段５５は、例えば、外套管３５をその外周面側から冷却風Ｆにより冷却する冷却ファンにより構成されている。外套管３５を冷却する方法としては、円筒状の冷却管を、エキシマランプ２０の外周面の周囲を覆うよう外套管３５の内部に配置し、あるいは、外套管３５の外周面の周囲を覆うよう配置し、当該冷却管に冷却媒体（例えば冷却水）を流通させることによりオゾン生成空間Ｒ１を冷却するようにしてもよい。
このような構成とされていることにより、オゾン生成空間Ｒ１内で生成されたオゾンの熱分解が生ずることを確実に抑制することができ、オゾンを一層高い効率で生成することができる。
【００５５】
また、第１の実施形態に係る紫外線照射式オゾン生成装置においては、第１の反射部材は、外套管３５の外周面に設けられた構成とされていてもよい。このような構成のものにおいては、第１の反射部材は、例えば光輝アルミニウムよりなる反射ミラーにより構成することもできる。
【００５６】
さらにまた、本発明の紫外線照射式オゾン生成装置においては、エキシマランプにおける紫外線遮光部材は、金属膜により構成されたものに限定されず、例えば図８に示すように、板状の紫外線遮光部材により構成されていてもよい。この例においては、内側管２３における突出部２４の軸方向内方側の位置に、例えばアルミナよりなる円環板状の紫外線遮光部材３０ａが設けられている。
また、紫外線遮光部材が金属膜により構成されている場合において、当該金属膜を放電空間Ｓ１内で発生した不純ガスを吸着する金属材料によって形成することにより、ゲッターとしても機能するように構成されていてもよい。このような構成の紫外線遮光部材は、外側管２２と内側管２３とを封着することにより放電空間Ｓ１を形成した後に、ゲッター室Ｓ２に配置した例えばバリウムなどの蒸発型ゲッター部材を高周波加熱等によって加熱することにより、バリウムを外側管２２と内側管２３との接合部Ｔを含む壁の内面領域に蒸着して形成することができる。
【００５７】
＜実験例１＞
図１乃至図３に示す構成を参照して、本発明に係る紫外線照射式オゾン生成装置を作製した。この紫外線照射式オゾン生成装置は、第１の反射部材（３６）としてシリカ粒子とアルミナ粒子との混合体からなる拡散ミラーを用いた。また、この紫外線照射式オゾン生成装置は、第２の反射部材（３８）および撹拌部材（４５）を有さないものである。エキシマランプ（２０）としては、外側管（２２）の外径がφ２７ｍｍ、外套管（３５）の内径がφ３６ｍｍ、放電空間（Ｓ１）の軸方向の長さが１７０ｍｍであるキセノンエキシマランプを用いた。
この紫外線照射式オゾン生成装置を用いて、図９に示すオゾン濃度測定系を構成し、８０ｋＨｚ、４ｋＶp-pの高周波高電圧を外側電極（２５）および内側電極（２６）の両電極間に印加してエキシマランプ（２０）を点灯させると共に、冷却水（Ｗ）をエキシマランプ（２０）の冷却媒体流通空間（Ｒ２）に３リットル／ｍｉｎの流量で供給した。オゾン生成用原料ガスの供給量を下記表１に従って変更して、紫外線照射式オゾン生成装置により生成されるオゾンの濃度を測定した。結果を下記表１に示す。
図９において、６０は紫外線照射式オゾン生成装置、６１は電源装置、６２は、オゾン生成用原料ガスである５ａｔｍの圧縮空気（乾燥空気）の供給圧力（供給量）を調整するレギュレータ、６３は、オゾン生成空間に流入される原料ガスの流量を測定する流量計、６４は、紫外線照射式オゾン生成装置（６０）より排出されるガス中のオゾン濃度を測定するオゾンモニターである。
【００５８】
＜実験例２＞
実験例１において作製した紫外線照射式オゾン生成装置において、外套管（３５）の内周面に拡散ミラーを設けることに代えて、外套管（３５）の外周面に光輝アルミニウムミラーよりなる第１の反射部材を設けたことの他は、実験例１において作製したものと同一の構成を有する紫外線照射式オゾン生成装置を作製した。この紫外線照射式オゾン生成装置について、実験例１と同様の方法により、生成されるオゾンの濃度を測定した。結果を下記表１に示す。
【００５９】
＜実験例３＞
実験例１において作製した紫外線照射式オゾン生成装置において、外套管（３５）を冷却する冷却ファンを設けたことの他は、実験例１において作製したものと同一の構成を有する紫外線照射式オゾン生成装置（図７参照。）を作製した。この紫外線照射式オゾン生成装置について、実験例１と同様の方法により、生成されるオゾンの濃度を測定した。結果を下記表１に示す。ここに、冷却ファンにより供給する冷却風の風量は２．４ｍ3 ／ｍｉｎとした。
【００６０】
【表１】
0006365096.tif 000002
【００６１】
以上の結果から明らかなように、冷却ファンにより外套管を冷却することによりオゾンの生成効率を向上させることができることが理解される。この理由は、オゾン生成空間が冷却されることによりオゾンの熱分解が抑制されたためであると考えられる。また、第１の反射部材としては、拡散ミラーを用いる方が反射ミラーを用いるよりもオゾンの生成効率を向上させることができることが理解される。この理由は、オゾン生成空間での紫外線利用効率が高くなるためであると考えられる。
【符号の説明】
【００６２】
１０  外部筐体
１１  一方の外套管ホルダー部材
１２，１３  流体流通管
１４  他方の外套管ホルダー部材
１５  流体流通管
１６  一方のランプホルダー部材
１６ａ，１６ｂ  保持部材
１７  他方のランプホルダー部材
１８  流体流通管
２０  エキシマランプ
２１  放電容器
２２  外側管
２３  内側管
２４  突出部
２５  外側電極
２６  内側電極
３０，３０ａ  紫外線遮光部材
３１  ゲッター部材
３５  外套管
３６  第１の反射部材
３８  第２の反射部材
４０  流体流通管
４５  撹拌部材
５０  反射部材
５５  冷却手段
６０  紫外線照射式オゾン生成装置
６１  電源装置
６２  レギュレータ
６３  流量計
６４  オゾンモニター
Ｆ  冷却風
Ｇ  オゾン生成用原料ガス
Ｌｃ  ランプ中心軸
Ｒ１  オゾン生成空間
Ｒ２  冷却媒体流通空間
Ｓ１  放電空間
Ｓ２  ゲッター室
Ｔ  接合部
Ｗ  冷却水
【図１】
0006365096.tif 000003
【図２】
0006365096.tif 000004
【図３】
0006365096.tif 000005
【図４】
0006365096.tif 000006
【図５】
0006365096.tif 000007
【図６】
0006365096.tif 000008
【図７】
0006365096.tif 000009
【図８】
0006365096.tif 000010
【図９】
0006365096.tif 000011